(57)【特許請求の範囲】
【請求項１】
サブマージブル電気ポンプであって、
第１の壁によって包囲された実質的に平らな第１のポンプ表面を備えた第１の凹部を含む第１のハウジング部材と、
前記第１のハウジング部材に固定され、第２の壁によって包囲されると共に前記第１のポンプ表面から間隔をおいた状態で前記第１のポンプ表面に実質的に平行に延びる実質的に平らな第２のポンプ表面を備えた第２の凹部を含む第２のハウジング部材と、
内側回転子及び外側回転子を備えたジェロータポンプであって、各回転子は、前記第１及び前記第２のポンプ表面に隣接して位置決めされた互いに反対側のフェースを有し、前記外側回転子は、前記第１及び前記第２の壁によって回転軸線上に位置合わせされているジェロータポンプと、
前記第１及び前記第２のハウジング部材の各々に係合し、前記外側回転子の回転軸線からオフセットした内側回転子回転軸線を定める回転子シャフトと、
前記第２のハウジング部材に形成されているポケット内に位置決めされた電気モータ固定子と、
前記外側回転子と一緒に回転可能に固定された複数個の永久磁石であって、前記固定子の近くに位置決めされている永久磁石と、を備えており、
前記固定子が前記ポンプを浸漬させている流体と接触関係をなすように孔が前記第１及び前記第２のハウジング部材の一方を貫通して延びている、
ことを特徴とする電気ポンプ。
【請求項２】
前記回転子シャフトは、前記内側回転子と一緒に回転可能に固定されている、
請求項１記載の電気ポンプ。
【請求項３】
前記固定子は、前記第２のハウジング部材のランド及び側壁に係合する、
請求項２記載の電気ポンプ。
【請求項４】
前記外側回転子に固定された半径方向に延びる部分を含む磁石リングを更に有し、前記磁石は、前記磁石リングに固定されている、
請求項１記載の電気ポンプ。
【請求項５】
前記磁石リングは、Ｔ字形断面を形成するよう前記半径方向に延びる部分を包囲した円筒形の部分を有する、
請求項４記載の電気ポンプ。
【請求項６】
前記固定子に電気的に結合されたモータコントローラを更に有する、
請求項１記載の電気ポンプ。
【請求項７】
前記モータコントローラは、電子部品が実装された円筒形のボードを有し、前記内側及び前記外側回転子の通路を通すよう孔が前記ボードを貫通して延びている、
請求項６記載の電気ポンプ。
【請求項８】
前記永久磁石と前記固定子の電流流通部材との間の距離は、０．５〜０．８ｍｍである、
請求項１記載の電気ポンプ。
【請求項９】
前記内側回転子と前記外側回転子は各々、互いに実質的に平行に延びる互いに間隔をおいた軸線を中心に回転する、
請求項１記載の電気ポンプ。
【請求項１０】
前記固定子は、圧送されるべき流体と接触状態にある巻線を有する、
請求項１記載の電気ポンプ。
【請求項１１】
前記内側及び前記外側回転子は、粉末金属で構成されている、
請求項１記載の電気ポンプ。
【請求項１２】
サブマージブル電気ポンプであって、
第１の壁によって包囲された実質的に平らな第１のポンプ表面を備えた第１の凹部を含む第１のハウジング部材と、
前記第１のハウジング部材に固定され、第２の壁によって包囲されると共に前記第１のポンプ表面から間隔をおいた状態で前記第１のポンプ表面に実質的に平行に延びる実質的に平らな第２のポンプ表面を備えた第２の凹部を含む第２のハウジング部材と、
内側回転子及び外側回転子を備えたジェロータポンプであって、各回転子は、前記第１及び前記第２のポンプ表面に隣接して位置決めされた互いに反対側のフェースを有し、前記外側回転子は、前記第１及び前記第２の壁によって回転軸線上に位置合わせされているジェロータポンプと、
前記第１及び前記第２のハウジング部材の各々に係合し、前記外側回転子の回転軸線からオフセットした内側回転子回転軸線を定める回転子シャフトと、
前記第２のハウジング部材に形成されているポケット内に位置決めされた電気モータ固定子と、
前記外側回転子と一緒に回転可能に固定された複数個の永久磁石であって、前記固定子の近くに位置決めされている永久磁石と、を備えており、
前記固定子は、圧送されるべき流体と接触状態にある巻線を有する、
ことを特徴とする電気ポンプ。
【請求項１３】
前記回転子シャフトは、前記内側回転子と一緒に回転可能に固定されている、
請求項１２記載の電気ポンプ。
【請求項１４】
前記固定子は、前記第２のハウジング部材のランド及び側壁に係合する、
請求項１３記載の電気ポンプ。
【請求項１５】
前記外側回転子に固定された半径方向に延びる部分を含む磁石リングを更に有し、前記磁石は、前記磁石リングに固定されている、
請求項１２記載の電気ポンプ。
【請求項１６】
前記磁石リングは、Ｔ字形断面を形成するよう前記半径方向に延びる部分を包囲した円筒形の部分を有する、
請求項１５記載の電気ポンプ。
【請求項１７】
前記固定子に電気的に結合されたモータコントローラを更に有する、
請求項１２記載の電気ポンプ。
【請求項１８】
前記モータコントローラは、電子部品が実装された円筒形のボードを有し、前記内側及び前記外側回転子の通路を通すよう孔が前記ボードを貫通して延びている、
請求項１７記載の電気ポンプ。
【請求項１９】
前記固定子が前記ポンプを浸漬させている流体と接触関係をなすように孔が前記第１及び前記第２のハウジング部材の一方を貫通して延びている、
請求項１２記載の電気ポンプ。
【請求項２０】
前記永久磁石と前記固定子の電流流通部材との間の距離は、０．５〜０．８ｍｍである、
請求項１２記載の電気ポンプ。
【請求項２１】
前記内側回転子と前記外側回転子は各々、互いに実質的に平行に延びる互いに間隔をおいた軸線を中心に回転する、
請求項１２記載の電気ポンプ。
【請求項２２】
前記内側及び前記外側回転子は、粉末金属で構成されている、
請求項１２記載の電気ポンプ。
【発明の詳細な説明】
【技術分野】
【０００１】
本発明は、一般に、電気モータにより駆動されるポンプに関する。特に、サブマージブル（「サブマージド」と呼ばれる場合もある）一体形電気オイルポンプが開示される。
【０００２】
〔関連出願の説明〕
本願は、２００８年１１月７日に出願された米国特許仮出願第６１／１１２，２３１号の権益主張出願である。この出願を参照により引用し、その開示内容全体を本明細書の一部とする。
【背景技術】
【０００３】
このセクションは、必ずしも先行技術の内容ではない本発明に関する技術背景情報を提供する。
【０００４】
多くの電気ポンプは、電気モータとジェロータ（gerotor）ポンプを組み合わせたものとして開示されている。例えば、米国特許第７，１５６，６２３号明細書は、互いに別々に又は組み合わせて使用可能な電気モータとジェロータポンプを記載している。この技術的思想は、圧送（ポンプ送り）機能を提供することができるが、冗長性が存在し、場合によっては、流体ポンプのコスト、サイズ及び重量にマイナスの影響を及ぼす。
【０００５】
更に、米国特許第７，３１４，３５２号明細書は、一体形電気モータを備えたポンプを記載している。電気モータは、複数個のリング形鋼板を備えたコア及びコアの周りに巻かれた電線コイルを有する固定子を含む。残念ながら、樹脂が固定子をモータ電機子の永久磁石から所望程度よりも長い距離、離している。モータ効率は、固定子と電機子との間の距離が増大するにつれて減少する。更に、樹脂を使用すると、樹脂の機械加工の困難性に起因して回転コンポーネントの端面隙間を制御するという課題が深刻化する。したがって、当該技術分野において、改良型完全サブマージブル一体形電気オイルポンプの要望が存在する。
【先行技術文献】
【特許文献】
【０００６】
【特許文献１】米国特許第７，１５６，６２３号明細書
【特許文献２】米国特許第７，３１４，３５２号明細書
【発明の概要】
【０００７】
このセクションは、本発明の概要を提供するものであり、本発明全範囲又はその特徴部の全ての分かり易い開示ではない。
【０００８】
サブマージブル電気ポンプは、圧送されるべき流体中に浸漬されるようになったハウジングを有し、孔がハウジングを貫通している。電気モータ固定子が孔と連通関係をなしてハウジング内に位置決めされ、流体と接触関係をなすようになっている。内側及び外側ポンプ回転子が互いに噛み合い関係をなしてハウジング内に位置決めされ回転時に流体を圧送するようになっている。複数個の永久磁石が外側回転子と一緒に回転可能に固定されている。
【０００９】
別の形態では、サブマージブル電気ポンプが実質的に平らな第１のポンプ表面を備えた第１のシェル及びハウジングを形成するよう第１のシェルに固定された第２のシェルを有する。第２のシェルは、第１のポンプ表面から間隔をおいた状態で第１のポンプ表面に実質的に平行に延びる実質的に平らな第２のポンプ表面を備える。ジェロータポンプが内側回転子及び外側回転子を有する。各回転子は、第１及び第２のポンプ表面に隣接して位置決めされた互いに反対側のフェースを有する。回転子シャフトが第１及び第２のポンプ表面相互間に所定の間隔を定めるよう第１及び第２のシェルの各々に係合した互いに間隔をおいた肩を有する。電気モータ固定子がハウジング内に位置決めされている。永久磁石が外側回転子と一緒に回転可能に固定された複数個の永久磁石を有し、このような永久磁石は、固定子の近くに位置決めされる。
【００１０】
別の産業上の利用分野は、本明細書において提供される説明から明らかになる。この発明の概要のセクションにおける説明及び特定の例は、説明の目的のために過ぎず、本発明の範囲を限定するものではない。
【００１１】
本明細書に添付された図面は、例示の目的上、選択された実施形態のうちのほんの僅かに過ぎず、考えられる全ての具体化例を示しているわけではなく、本発明の範囲を制限するものでもない。
【図面の簡単な説明】
【００１２】
【図１】本発明の教示に従って構成されたサブマージブル電気ポンプの斜視図である。
【図２】サブマージブル電気ポンプの端面図である。
【図３】図２に示された３‐３線矢視断面図である。
【図３ａ】別の回転子シャフト保持方法の部分断面図である。
【図４】変形例としてのサブマージブル電気ポンプの断面図である。
【図５】図４に示されているポンプの地鉄スリーブ、永久磁石及び外側回転子サブアセンブリの断面斜視図である。
【図６】別の変形例としてのサブマージブル電気ポンプの断面図である。
【図７】別の変形例としてのサブマージブル電気ポンプの断面図である。
【図８】サブマージブル電気ポンプの別の断面図である。
【図９】サブマージブル電気ポンプの別の断面図である。
【図１０】リング形コントローラを含む変形例としての一体形電気ポンプの部分斜視図である。
【図１１】図１０に示されているポンプの断面図である。なお、図面のうちの幾つかの図全体に当たり、対応の参照符号は対応の部分を示している。
【発明を実施するための形態】
【００１３】
次に、添付の図面を参照して例示としての実施形態について詳細に説明する。
【００１４】
図１〜図３は、参照符号１０で示されたサブマージブル一体形電気オイル（油）ポンプを示している。ポンプ１０は、ベース１４、カバー１６及び中間リング１８を備えたハウジング１２を有する。ベース１４及びカバー１６の各々は、アルミニウムダイカスト鋳物として作られるのが良い。中間リング１８は、ハウジング１２内のコンポーネントの熱膨張率とは異なるハウジング１２の熱膨張率を補償するようベース１４とカバー１６との間にサンドイッチされている。中間リング１８は、好ましくは、熱膨張率がアルミニウムよりも実質的に小さい材料で構成される。中間リング１８は、この目的に合う粉末金属材料で構成されるのが良い。ベース１４、カバー１６及び中間リング１８は、ポンプ１０の周囲に沿って互いに固定される。多くの締結方法を採用することができ、このような締結方法としては、ねじ止め、圧着、クランプ、リベット締め、溶接、接着等が挙げられる。
【００１５】
電気オイルポンプ１０は、ジェロータポンプを構成するよう互いに協働する内側回転子２２と外側回転子２４を有する。内側回転子２２は、外側回転子２４に形成された複数個の内側ローブ２８と噛み合い状態にある複数個の外側ローブ２６を有する。外側回転子２４は、内側回転子２２よりも１つ多いローブを有する。さらに、内側回転子２２は、外側回転子２４の回転の中心となる回転軸線からオフセットした静止状態の回転子シャフト３０により定められる軸線を中心に回転することが解る。入口ポート３２が設けられており、この入口ポート３２は、内側回転子２２が外側回転子２４に対して回転しているときにこれら回転子相互間の空間の大きさが増大する場所では内側回転子２２及び外側回転子２４と連通状態にある。入口ポート３２は、ベース１４を貫通して延びている。
【００１６】
出口ポート３４がカバー１６に形成されており、この出口ポートは、加圧流体がジェロータから出力される場所で内側回転子２２及び外側回転子２４と連通関係をなして位置決めされている。カバー１６は、ポンプ１０とポンプを浸漬させている流体との間の熱伝達を増大させるための複数個の一体形フィン３６を更に有している。
【００１７】
第１の締結具４０が回転子シャフト３０の第１の端部４２をカバー１６に固定している。縮径部分４４が第１の端部４２に形成されており、この縮径部分は、回転子シャフト３０を正確に位置決めするようカバー１６に形成されている第１の凹部４６と連通関係をなして配置されている。第１の締結具４０は、回転子シャフト３０の第１の肩４８をカバー１６に形成されている第１のポンプ面５０に係合させる。
【００１８】
同様な仕方で、第２の締結具５４が回転子シャフト３０の第２の端部５６をベース１４に固定している。段付き縮径部分５８がベース１４に形成された凹部６０内に正確に位置決めされている。第２の肩６２がベース１４に形成された第２のポンプ面６４に当てて固定されている。第１の肩４８と第２の肩６２との間の距離は、内側回転子２２、外側回転子２４、ベース１４及びカバー１６相互間の動的隙間を構成するよう正確に制御される。内側シャフト３０をベース１４及びカバー１６に固定することにより、ハウジング１２と可動内側回転子２２と外側回転子２４との間の所望の間隔がポンプ作動全体にわたって維持される。さらに、締結具４０，５４は、カバー１６及びベース１４が流体の力を圧送中に発生させている間、内側及び外側回転子２２，２４から遠ざかるのを制限する。それにより、適正なポンプ機能が維持される。
【００１９】
図３ａは、回転子シャフト３０をベース１４及び／又はカバー１６に相互連結する別の方法を示している。変形例としての回転子シャフト３０′がベース１４′を貫通して延びる縮径部分６５を有している。ベース１４′は、第２のポンプ面６４′から所定の距離を置いたところに位置する荷重面６６を有している。リング溝６７が部分６５に形成されており、このリング溝は、テーパ付き表面６８を有する。保持クリップ６９が第２のポンプ面６４′に荷重を加えてこれを回転子シャフト３０′の第２の肩６２′に押し付けるようテーパ付き表面６８と付勢係合関係をなして配置されている。保持クリップ６８も、テーパ付き表面６８と係合状態にあるテーパ付き表面を有するのが良い。
【００２０】
外側回転子２４の回転軸線を定めるようポケット７０がカバー１６内に形成されている。外側回転子２４は、ポケット７０内に位置決めされた縮径外周部を備えたハブ部分７２を有している。内側回転子２２及び外側回転子２４は、各々、粉末金属材料で構成されることが想定されている。地鉄スリーブ７４が外側回転子２４と一緒に回転可能に固定されている。複数個の磁石７６が地鉄スリーブ７４と一緒に回転可能に固定されている。磁石７６は、地鉄スリーブ７４の周囲に沿って極性が交互になった状態で配置されている。
【００２１】
固定子８０が巻線８４によって包囲された複数枚の板８２を有している。固定子８０は、ハウジング１２に固定されており、この固定子は、ハウジングに対して回転することができない。固定子８０は、ベース１４及びカバー１６にそれぞれ形成された表面８５，８７により半径方向に位置合わせされる。カバー１６に設けられたランド８９が固定子８０を軸方向運動をしないよう制限する。可撓性部材９１が固定子８０をランド８９の方へ押圧するが、このような可撓性部材により、固定子８０は、種々のコンポーネントの熱膨張の必要に応じて動くことができる。隙間８６が固定子８０の内側円筒形表面８８と磁石７６との間に形成されている。隙間８６のサイズは、回転子シャフト３０、ハブ７２及びポケット７０の使用により最小限に抑えられる。さらに、固定子８０は、所望ならば圧送されるべき流体と接触関係をなすよう構成される。冷却機能を発揮するよう流体がハウジング１２を通ると共に固定子８０上にこれに沿って流れることができるよう孔がベース１４及びカバー１６の各々を貫通して延びるのが良い。巻線８４は、成形シェル内に納められておらず、巻線は、永久磁石７６のすぐ近くに位置決めされるのが良い。モータの効率は、隙間８６が減少するにつれて増大する。モータ効率を最大にするため、永久磁石７６と固定子８０の電流流通（導電又は通電）部分との間の距離は、約０．５ｍｍ〜０．８ｍｍである。
【００２２】
作用を説明すると、電流を巻線８４に流して磁界を生じさせる。永久磁石７６を押圧して動かし、それにより地鉄スリーブ７４、外側回転子２４及び内側回転子２２を回転させる。この時点で、流体の圧送が起こる。圧送が続くと、第１の締結具４０及び第２の締結具５４は、ベース１４とカバー１６が互いに離隔して第１のポンプ表面５０と第２のポンプ表面６４との間の距離を変えるのを制限する。
【００２３】
図４及び図５は、参照符号１２０で示された変形例としてのポンプを示している。ポンプ１２０も、圧送されるべき流体内に完全に浸漬可能な一体形電気オイルポンプである。一体形電気オイルポンプ１２０は、円筒形の本体１２２、第１の側板１２４及び第２の側板１２６を有している。第１及び第２のカバー１２８，１３０が第１及び第２の側板１２４，１２６に密着している。内側回転子１３２がブッシュ１３６によって回転可能に支持されたハブ１３４を有し、ブッシュ１３６は、第２のカバー１３０に形成されたキャビティ１３８内に位置決めされている。内側回転子１３２は、回転軸線１４０を中心に回転する。外側回転子１４２が上述したようにジェロータポンプを構成するよう内側回転子１３２に形成された外側ローブ（図示せず）と噛み合い状態にある内側ローブ１４３を有している。外側回転子１４２は、軸線１４０からオフセットした回転軸線を中心に回転する。
【００２４】
シャフト１４４が複数個のボール１４５を介して外側回転子１４２と一緒に回転可能に固定されている。複数個の永久磁石１４６がシャフト１４４と一緒に回転可能に固定されている。また、支承リング１４８，１５０がシャフト１４４と一緒に回転可能に固定されている。支承組立体１５２が支承リング１４８を回転可能に支持するよう第１の側板１２４に取り付けられている。同様に、もう１つの支承組立体１５４が支承リング１５０、シャフト１４４及び外側回転子１４２を回転可能に支持するよう第２の側板１２６に結合されている。
【００２５】
第１のカバー１２８は、内側回転子１３２及び外側回転子１４２から間隔をおいて位置するポンプ面１６２を有している。第２のポンプ面１６４が第２のカバー１３０の端部に形成されている。第２のポンプ面１６４は、内側回転子１３２及び外側回転子１４２に所望の動的隙間を与えるよう第１のポンプ面１６２から所定の距離を置いたところに位置している。固定子１６６が本体１２２、第１の側板１２４及び第２の側板１２６により構成されたキャビティ１６８内に位置決めされている。棚部１６９が回転子１６６を位置決めすると共に支持するよう本体１２２の内周部に形成されている。固定子１６６は、ポンプ１０と関連して上述したように磁石１４６を包囲している。
【００２６】
リップシール１７０が第１の側板１２４に結合されており、このリップシールは、シャフト１４４と一緒に回転可能に固定されたシール板１７２に密着する。もう１つのリップシール１７４が第２の側板１２６に結合されており、このリップシール１７４は、シャフト１４４と一緒に回転可能に固定された別のシールリング１７６に係合している。Ｏリング１７８，１７９が第１の側板１２４と第２の側板１２６と本体１２２との間の接合部を密封している。
【００２７】
入口ポート１８０が第２の側板１２６に形成されている。ストレーナ１８２が流体を流通させることができるが、ポンプ内への汚染要因物の流入を制限する。複数個の架台１８４がストレーナ１８２を圧送されるべき流体の入っているサンプの底部から離隔させるよう第２のカバー１３０から延びている。ポンプ１２０は、圧送されるべき流体及びポンプの周りの流体をキャビティ１６８内に流入しないよう制限する密閉設計のものである。
【００２８】
図６は、参照符号１９０で示された別のサブマージブルポンプを示している。ポンプ１９０は、ポンプ１２０と実質的に同一である。したがって、類似の要素は、プライム記号の添え字を含む同一の番号で示される。ポンプ１９０は、固定子１６６が圧送されるべき流体から封止されていないという点においてポンプ１２０とは異なっている。これとは異なり、キャビティ１６８′は、ポンプ１９０が流体内に浸漬されると油で満たされる。複数個の孔１９２が流体の出入りを可能にするよう第１の側板１２４′に形成されている。同様な仕方で、複数個の孔１９４がキャビティ１６８′との流体連通を可能にするよう第２の側板１２６′に形成されている。密封がもはや必要ではないので、Ｏリング１７８，１７９は、ポンプ１９０から省かれている。さらに、リップシール１７０，１７４並びにシールリング１７２，１７６は、もはや不用である。シールを保持するためのポケット又は溝の関連の機械加工も、たとえ図面がこれらの特徴の存在を示す場合があっても、不用である。
【００２９】
図７〜図９は、参照符号２００で示された別のポンプを示している。ポンプ２００も、サブマージド一体形電気オイルポンプとして構成されている。ポンプ２００は、側壁２１０を備えたハウジング２０２を有する。凹部２１４が実質的に円筒形の壁２１６によって構成されている。ねじ山付き孔２１８が、互いに円周方向に間隔をおいて設けられている。
【００３０】
ポンプ２００は、キャビティ２０８内に位置決めされた固定子２２２を有している。側壁２１０は、固定子２２２が半径方向運動をしないよう制限するために固定子２２２の外面２２４に密着するよう寸法決めされている。ランド２２６がハウジング２０２に形成され、キャビティ２０８を部分的に構成すると共に固定子２２２の表面２２８の受座をなしてハウジング２０２に対する固定子の軸方向運動を制限するようになっている。
【００３１】
磁石リング２３２が実質的に円筒形の部分２３４及び半径方向内方に突き出た部分２３６を有している。磁石リング２３２は、一コンポーネントとして形成された金属製バッキング又は支持リング部分及び複数個の磁石を有している。外側の実質的に円筒形の表面２３８が固定子２２２の内側の実質的に円筒形の表面２４０から間隔をおいて位置している。外側回転子２４２が磁石リング２３２に固定されている。受座２４６及び実質的に円筒形の壁２４８が外側回転子２４２の外周部を通過するよう寸法決めされているが、外側回転子２４２の所望の半径方向及び軸方向位置を維持するよう外側回転子に密接して位置決めされる。
【００３２】
カバー２５０がクランプリング２５２及び締結具２５４によってハウジング２０２に固定されている。カバー２５０は又、実質的に平らな表面２５６及び実質的に円筒形の表面２５８を有し、これら表面は、外側回転子２４２の位置を維持する。円筒形の表面２５８，２４８の位置合わせは、カバー２５０の外側円筒形表面２６２を円筒形壁２１６と共に厳密に寸法決めすることによって達成される。内側回転子２６６が回転子２２及び回転子２４を参照して上述したのと同様の仕方で外側回転子と駆動関係をなして嵌合する。内側回転子２６６は、中央シャフト２６８に固定されている。内側回転子２６６及び中央シャフト２６８は、ハウジング２０２及びカバー２５０に対して単一ユニットとして回転するよう構成されている。ハウジング２０２に形成されたボア２７０及びカバー２５０に形成されたボア２７２が中央シャフト２６８の端部を受け入れると共にその回転軸線を定める。表面２５６及び受座２４６は、内側回転子２６６の軸方向並進を制限する。
【００３３】
図９は、ハウジング２０２に対するカバー２５０の正確な位置合わせ及び割送りを保証するよう位置決めされたドエル（位置決めピン）２８０を示している。シール２８２がカバー２５０に形成された溝２９０内に位置決めされた状態で凹部２１４に嵌まり込んでいる。
【００３４】
図１０及び図１１は、参照符号３５０で示された変形例としてのポンプの一部分を示している。ポンプ３５０は、リング形コントローラ３５２が固定子２２２に隣接して位置決めされている点を除き、ポンプ２００と実質的に同一である。コントローラ３５２は、固定子２２２と係合関係をなして位置決めされたボード３５４を有する。集積回路３５６、キャパシタ３５８及びマイクロプロセッサ３６０を含む多くの電子部品がボード３５４に固定されている。コントローラ３５２は、ポンプ３５０の作動を制御するよう動作可能である。ボード３５４及びこれに結合されている部品は、ポンプ３５０を浸漬させている流体と連通状態にあるのが良い。圧送されるべき流体の特性に基づいて、コントローラ３５２は、流体への暴露にもかかわらず適正に機能する。中央孔３６２がボード３５４を貫通して延びている。中央孔３６２は、内側回転子２６６及び外側回転子２４２を挿通させることができるよう寸法決めされると共に位置決めされている。
【００３５】
ボード３５４の出力は、固定子２２２に結合され、電流が固定子２２２の巻線を通って流れて電磁界が形成されるようになっている。コントローラ３５２は、固定子２２２に流される電流を定めるよう動作可能な１つ又は複数の集積回路を含むのが良い。また、コントローラ３５２は、外側回転子２４２に加えられるトルクを定めるよう動作可能である。
【００３６】
作用を説明すると、ポンプ３５０は、外部源から電流を受け入れる。エネルギーがコントローラ３５２に与えられ、ここで、電流を固定子２２２に流すべきかどうかの判定がなされる。固定子２２２に流されるべき電流の大きさも定められる。固定子２２２に流される電流の大きさが変化すると、固定子２２２の周りの電磁界の強度も変化する。電磁界は、磁石リング２３２と相互作用することにより、外側回転子２４２が回転する。外側回転子２４２は、内側回転子２６６と噛み合い状態にあるので、内側回転子２６６も回転するようになる。内側回転子２６６及び外側回転子２４２の回転により、流体圧送作用が生じる。
【００３７】
実施形態についての上述の説明は、例示及び説明の目的のために提供されている。このような説明は、網羅的ではなく又は本発明を限定するものではない。特定の実施形態の個々の要素又は特徴は、一般に、その特定の実施形態に限定されるものではなく、該当する場合には、区別なく使用でき、たとえ具体的に示されておらず又は説明されていない場合であっても、選択された実施形態で利用できる。同じことは又、多くの仕方で変形可能である。このような変形例は、本発明から逸脱するものと見なされず、このような全ての変形例及び改造例は、本発明の範囲に含まれるものである。
【図１】
0005615826.tif 000002
【図２】
0005615826.tif 000003
【図３】
0005615826.tif 000004
【図３Ａ】
0005615826.tif 000005
【図４】
0005615826.tif 000006
【図５】
0005615826.tif 000007
【図６】
0005615826.tif 000008
【図７】
0005615826.tif 000009
【図８】
0005615826.tif 000010
【図９】
0005615826.tif 000011
【図１０】
0005615826.tif 000012
【図１１】
0005615826.tif 000013